(57)【要約】      （修正有）【課題】柄部の形状・構造がより握りやすく、小さな子供が柄部を握るときに、不測の事故が生じるおそれの少ない団扇を提供する。【解決手段】柄部本体４は、柄部上端側と柄部下端側との間で、横幅を均一にして長手方向に伸びていると共に、横幅が最大になる凸湾部６ａ、６ｂを柄部本体の下端近傍に備え、柄部上端側から柄部本体の下端に向かって近づくにつれて左右方向にそれぞれ柄部本体の側縁から突出するように前記凸湾部が形成される。柄部本体４を握った時に、手の小指側が、凸湾部６ａ、６ｂで下方向から支持され、安定して柄部本体４を握ることができる。また、柄部本体４には透孔が存在していないので、透孔に子供の指が入る不測の事故を未然に防止できる。【選択図】図１
0003185092.tif 000002
【実用新案登録請求の範囲】
【請求項１】
柄部と、当該柄部の上端側に下端側が取り付けられる台紙とからなる団扇であって、
前記柄部は、前記上端側と下端側との間で長手方向に伸びる板状体からなる柄部本体を備えており、
当該柄部本体は、
前記柄部の前記上端側と前記下端側とにそれぞれ対応する柄部上端側と柄部下端側との間で、前記長手方向に直交する方向の横幅を均一にして前記長手方向に伸びていると共に、
前記横幅が最大になる凸湾部を前記柄部の下端に相当する前記柄部本体の下端近傍に備えていて、
前記柄部上端側から前記柄部本体の下端に向かって近づくにつれて前記長手方向に直交する左右方向にそれぞれ前記柄部本体の側縁から突出するように前記柄部本体の側縁が凸湾することにより前記凸湾部が形成されている
ことを特徴とする団扇。
【請求項２】
前記柄部本体の上端側に、前記台紙の下端側が取り付けられる取付部が配備されており、
当該取付部は、
前記長手方向及び前記左右方向に直交する前後方向における前記柄部本体の後側で、前記柄部本体の上端側から前記長手方向で更に伸びる支持片部と、
前記柄部本体の前側で、薄肉ヒンジ部を介して、前記柄部本体の上端側に回動可能に取り付けられ、前記支持片部の前側に接近する方向に回動して、前記支持片部との間で、前記台紙の下端側を挟持する挟持片部と
を備えていることを特徴とする請求項１記載の団扇。
【請求項３】
前記支持片部は嵌合孔を備えており、
前記挟持片部は、前記支持片部との間で前記台紙の下端側を挟持する際に前記嵌合孔に嵌合する嵌合突起部を、
前記台紙の下端側は、前記支持片部と、前記挟持片部との間に挟持される際に、前記嵌合突起部が貫通する嵌合貫通孔を
それぞれ備えていることを特徴とする請求項２記載の団扇。
【請求項４】
前記台紙の下端側には切欠部が形成されていると共に、
前記支持片部の前記前側の面に、嵌合突出片部が形成されていて、
前記台紙の下端側が、前記支持片部と、前記挟持片部との間に挟持される際に、前記切欠部に、嵌合突出片部が嵌装される
ことを特徴とする請求項２又は３記載の団扇。
【考案の詳細な説明】
【技術分野】
【０００１】
この考案は団扇に関する。特に、柄部と、当該柄部の上端側に下端側が取り付けられている台紙とからなる団扇であって、柄部の形状・構造が握りやすく、小さな子供が柄部を握る、等したときに、不測の事故が生じるおそれの少ない、団扇に関する。
【背景技術】
【０００２】
柄部と、当該柄部の上端側に下端側が取り付けられている台紙とからなる団扇については、従来から種々の提案がされている。
【０００３】
たとえば、部品数を極めて少なくすると共に、正確に安定した製品を供給することを目的にし、さらに、台紙と柄との取り付けを一の動作で行えることを可能にした団扇の提案などがされている（特許文献１）。
【先行技術文献】
【特許文献】
【０００４】
【特許文献１】実用新案登録第３０７０４１０号公報
【考案の概要】
【考案が解決しようとする課題】
【０００５】
柄部と、当該柄部の上端側に下端側が取り付けられている台紙とからなる団扇については、柄部の形状・構造をより握りやすいものにする、ということは従来から追及されていることであった。
【０００６】
また、柄部の下端側に透孔が存在している場合、小さな子供が、柄部を握ろうとした際などに、その透孔に指を入れてしまう、等して不測の事故が発生するおそれがあった。
【０００７】
そこで、この考案は、柄部と、当該柄部の上端側に下端側が取り付けられている台紙とからなる団扇であって、柄部の形状・構造がより握りやすいものに改善されている団扇を提案することを目的にしている。
【０００８】
更に、この考案は、小さな子供が柄部を握る、等したときに、不測の事故が生じるおそれの少ない、団扇を提案することを目的にしている。
【課題を解決するための手段】
【０００９】
上記課題を解決するため、以下の考案を提案する。
【００１０】
請求項１の考案は、
柄部と、当該柄部の上端側に下端側が取り付けられる台紙とからなる団扇であって、
前記柄部は、前記上端側と下端側との間で長手方向に伸びる板状体からなる柄部本体を備えており、
当該柄部本体は、
前記柄部の前記上端側と前記下端側とにそれぞれ対応する柄部上端側と柄部下端側との間で、前記長手方向に直交する方向の横幅を均一にして前記長手方向に伸びていると共に、
前記横幅が最大になる凸湾部を前記柄部の下端に相当する前記柄部本体の下端近傍に備えていて、
前記柄部上端側から前記柄部本体の下端に向かって近づくにつれて前記長手方向に直交する左右方向にそれぞれ前記柄部本体の側縁から突出するように前記柄部本体の側縁が凸湾することにより前記凸湾部が形成されている
ことを特徴とする団扇
である。
【００１１】
請求項２記載の考案は、
前記柄部本体の上端側に、前記台紙の下端側が取り付けられる取付部が配備されており、
当該取付部は、
前記長手方向及び前記左右方向に直交する前後方向における前記柄部本体の後側で、前記柄部本体の上端側から前記長手方向で更に伸びる支持片部と、
前記柄部本体の前側で、薄肉ヒンジ部を介して、前記柄部本体の上端側に回動可能に取り付けられ、前記支持片部の前側に接近する方向に回動して、前記支持片部との間で、前記台紙の下端側を挟持する挟持片部と
を備えていることを特徴とする請求項１記載の団扇
である。
【００１２】
請求項３記載の考案は、
前記支持片部は嵌合孔を備えており、
前記挟持片部は、前記支持片部との間で前記台紙の下端側を挟持する際に前記嵌合孔に嵌合する嵌合突起部を、
前記台紙の下端側は、前記支持片部と、前記挟持片部との間に挟持される際に、前記嵌合突起部が貫通する嵌合貫通孔を
それぞれ備えていることを特徴とする請求項２記載の団扇
である。
【００１３】
請求項４記載の考案は、
前記台紙の下端側には切欠部が形成されていると共に、
前記支持片部の前記前側の面に、嵌合突出片部が形成されていて、
前記台紙の下端側が、前記支持片部と、前記挟持片部との間に挟持される際に、前記切欠部に、嵌合突出片部が嵌装される
ことを特徴とする請求項２又は３記載の団扇
である。
【考案の効果】
【００１４】
この考案によれば、柄部と、当該柄部の上端側に下端側が取り付けられている台紙とからなる団扇であって、柄部の形状・構造がより握りやすいものに改善されている団扇を提供することができる。
【００１５】
更に、この考案によれば、前記のような団扇であって、更に、小さな子供が柄部を握る、等したときに、不測の事故が生じるおそれの少ない、団扇を提供することができる。
【図面の簡単な説明】
【００１６】
【図１】本考案の一実施形態に係る団扇を後ろ側から見た背面図。
【図２】本考案の団扇に採用される柄部の一例を説明する図であって、台紙の挟持が行われる前の柄部を前側から見た正面図。
【図３】図２図示の柄部の側面図。
【図４】本考案の団扇に採用される台紙の一例を説明する図であって、柄部に取り付けられる前の正面図。
【考案を実施するための形態】
【００１７】
以下、添付図面を参照して本考案の実施形態を説明する。
【００１８】
図１は本考案の一実施形態に係る団扇１を後ろ側から見た図である。
【００１９】
団扇１は、柄部３と、柄部３の上端側３ａに下端側が取り付けられる台紙２とからなる。
【００２０】
台紙２は、後述するようにその下端側が柄部３の上端側３ａに取り付けられればよく、図１、図４に表されるような略円形の他、各種イベントに適した、あるいは子供の趣向に沿うようなデザインの台紙（紙製や、合成樹脂製）等を採用することができる。
【００２１】
柄部３は、柄部３の上端側３ａと下端側３ｂとの間で長手方向に伸びている柄部本体４を備えている。
【００２２】
柄部本体４は、図２に表されるように柄部３の上端側３ａと下端側３ｂとにそれぞれ対応する柄部上端部４ａと柄部下端側４ｂとの間で、柄部３の長手方向に直交する方向の横幅Ｌ１を均一にして前記長手方向に伸びている。
【００２３】
また、柄部本体４は、前記横幅が最大幅Ｌ２となる凸湾部６ａ、６ｂを柄部３の下端に相当する柄部本体４の下端４ｅ近傍に備えている。この凸湾部６ａ、６ｂは、柄部上端側４ａから柄部本体４の下端４ｅに向かって近づくにつれて前記長手方向に直交する左右方向に、柄部本体４の側縁４ｃ、４ｄから突出するように柄部本体４の側縁４ｃ、４ｄが凸湾することにより形成されている。
【００２４】
このように、柄部本体４の下端４ｅ近傍に、凸湾部６ａ、６ｂが形成されていることにより、柄部本体４を握った時に、握った手の小指側（手の下側）が、凸湾部６ａ、６ｂに当たるようになる。そこで、柄部本体４を握った手の小指側（手の下側）が、凸湾部６ａ、６ｂで下方向から支持されるようになる。これによって、安定して柄部本体４を握ることができ、持ちやすい柄部３を備えた団扇１とすることができる。
【００２５】
また、柄部３の上端側３ａと下端側３ｂとの間で長手方向に伸びる柄部本体４が板状体であることから、柄部本体４には透孔が存在していない。これによって、小さな子供が柄部３を握った場合、柄部３に形成されている透孔に子供の指が入る、等することによって生じるおそれのある不測の事故を未然に防止することができる。
【００２６】
柄部本体４はその上端側４ａに、台紙２の下端側が取り付けられる取付部５を備えている。
【００２７】
取付部５は、図２、図３に表されるように、柄部本体４の長手方向及び左右方向に直交する前後方向における柄部本体４の後側４ｇで、柄部本体４の上端側４ａから前記長手方向に更に伸びる支持片部７を備えている。
【００２８】
また、取付部５は、柄部本体４の前側４ｆで、薄肉ヒンジ部１３を介して柄部本体４の上端側に矢印１６、１７の方向に回動可能に取り付けられ、矢印１６の方向に回動して支持片部７との間で台紙２の下端側を挟持する挟持片部８を備えている。
【００２９】
支持片部７は塑性変形が可能な合成樹脂製であり、所定の大きさの嵌合孔９ａ、９ｂを備えている。
【００３０】
挟持片部８は支持片部７との間で台紙２の下端側を挟持する際に嵌合孔９ａ、９ｂに嵌合する嵌合突起部１０ａ、１０ｂを備えている。嵌合突起部１０ａ、１０ｂの先端には、大径部からなる先端１１ａ、１１ｂが配備されている（図２、図３）。
【００３１】
台紙２の下端側は、支持片部７と挟持片部８との間に挟持される際に、嵌合突起部１０ａ、１０ｂが貫通する嵌合貫通孔１４ａ、１４ｂを備えている（図４）。
【００３２】
台紙２の下端側を支持片部７と挟持片部８との間で挟持する場合、支持片部７の嵌合孔９ａ、９ｂの位置に台紙２の嵌合貫通孔１４ａ、１４ｂを重ね合わせ、挟持片部８を、薄肉ヒンジ部１３を介して矢印１６の方向に回動させ、重ね合わせた支持片部７の嵌合孔９ａ、９ｂと台紙２の嵌合貫通孔１４ａ、１４ｂに嵌合突起部１０ａ、１０ｂを通過させる。
【００３３】
嵌合突起部１０ａ、１０ｂが、重ね合わせた支持片部７の嵌合孔９ａ、９ｂと台紙２の嵌合貫通孔１４ａ、１４ｂに嵌合突起部１０ａ、１０ｂを通過する際、嵌合突起部１０ａ、１０ｂの先端１１ａ、１１ｂは、嵌合孔９ａ、９ｂを塑性変形させて径を大きくさせながら圧入されて嵌合される（図１）。
【００３４】
これによって、台紙２の下端は支持片部７と挟持片部８との間で確実に固定され、台紙２の取付部５による保持が安定した団扇１とすることができる。
【００３５】
また、上記の構成に、台紙２の下端側に所定の形状の切欠部１５（図４）を形成させ、支持片部７の柄部本体４の前側４ｆの面に切欠部１５に対応した形状の嵌合突出片部１２（図２、図３）を形成させる構成を付加することがより好ましい。
【００３６】
これらの構成を付加し、台紙２の下端側を支持片部７と挟持片部８との間で挟持する場合、支持片部７の嵌合孔９ａ、９ｂの位置に台紙２の嵌合貫通孔１４ａ、１４ｂを重ね合わせると共に、切欠部１５に嵌合突出片部１２を嵌装させる。そして、挟持片部８を、薄肉ヒンジ部１３を介して矢印１６の方向に回動させ、重ね合わせた支持片部７の嵌合孔９ａ、９ｂと台紙２の嵌合貫通孔１４ａ、１４ｂに嵌合突起部１０ａ、１０ｂを通過させる。
【００３７】
嵌合突起部１０ａ、１０ｂが、重ね合わせた支持片部７の嵌合孔９ａ、９ｂと台紙２の嵌合貫通孔１４ａ、１４ｂに嵌合突起部１０ａ、１０ｂを通過する際、切欠部１５に嵌合突出片部１２が嵌装されると共に、嵌合突起部１０ａ、１０ｂの先端１１ａ、１１ｂは、嵌合孔９ａ、９ｂを塑性変形させて径を大きくさせながら圧入されて嵌合される（図１）。
【００３８】
切欠部１５に嵌合突出片部１２が嵌装されることによって、台紙２の下端は支持片部７と挟持片部８との間でさらに確実に固定され、台紙２の取付部５による保持がさらに安定した団扇１とすることができる。
【００３９】
以上、添付図面を参照して本考案の好ましい実施形態を説明したが、本考案はかかる実施形態に限定されるものではなく、実用新案登録請求の範囲の記載から把握される技術的範囲において種々の形態に変更可能である。
【符号の説明】
【００４０】
１  団扇
２  台紙
３  柄部
３ａ  柄部の上端側
３ｂ  柄部の下端側
４  柄部本体
４ａ  柄部上端側
４ｂ  柄部下端側
４ｃ、４ｄ  柄部本体の側縁
４ｆ  柄部本体の前側
４ｇ  柄部本体の後側
５  取付部
６ａ、６ｂ  凸湾部
７  支持片部
８  挟持片部
９ａ、９ｂ  嵌合孔
１０ａ、１０ｂ  嵌合突起部
１１ａ、１１ｂ  嵌合突起部の先端
１２  嵌合突出片部
１３  薄肉ヒンジ部
１４ａ、１４ｂ  嵌合貫通孔
１５  切欠部
【図１】
0003185092.tif 000003
【図２】
0003185092.tif 000004
【図３】
0003185092.tif 000005
【図４】
0003185092.tif 000006